【手続補正書】
【提出日】平成31年4月4日(2019.4.4)
【手続補正１】
【補正対象書類名】明細書
【補正対象項目名】００７７
【補正方法】変更
【補正の内容】
【００７７】
本発明の特定の実施形態が説明されているが、その他の実施形態も存在し得る。本明細書は、発明を実施するための形態を含むが、本発明の範囲は、以下の請求項によって示される。さらに、本明細書は、構造的特徴及び／または方法論的動作に特有の言語で説明されているが、請求項は、上に説明された特徴または動作に限定されるものではない。むしろ、上に説明された特定の特徴及び動作は、本発明の例示的な態様及び実施形態として開示される。様々なその他の態様、実施形態、修正形態、及びそれらの均等物は、本明細書における発明を実施するための形態を読んだ後、本発明の趣旨、または請求項に記載された発明の対象の範囲から逸脱することなく、当業者にそれら自体を示唆し得る。以下、本発明の実施形態の例を列記する。
［１］
（ａ）壁及び少なくとも１つの開口を備え、前記壁が内部空間を画定する、ハウジングと；
（ｂ）前記内部空間に据え付けられた方向性光源を備え、前記光源は、ＬＥＤライトを備え、前記光源は、前記光源から放射された光の大部分が前記内部空間における１つ又は複数の面に向けられるように位置付けられた、光源と；
（ｃ）前記内部空間に据え付けられ、かつ節足動物を動けなくするか、殺傷するか、または封じ込めるように構成された、抑制要素と、を備える、トラップ。
［２］
（ａ）壁及び少なくとも１つの開口を備え、前記壁が内部空間を画定する、ハウジングと；
（ｂ）前記内部空間に据え付けられた方向性光源を備え、前記光源は、３５０〜５００ｎｍの範囲の１つ又は複数の波長で光を放射するように構成され、前記光源は、前記光源から放射された前記光の大部分が前記内部空間における１つ又は複数の面に向けられるように位置付けられた、光源と；
（ｃ）前記内部空間に据え付けられ、かつ節足動物を動けなくするか、殺傷するか、または封じ込めるように構成された、抑制要素と、を備える、トラップ。
［３］
（ａ）面上に据え付け可能なフレームと；
（ｂ）前記フレーム上に据え付けられた方向性光源を備え、前記光源が、紫外光、紫色光、青色光、緑色光、及びそれらの組合せから選択される１つ又は複数の波長の光を放射するように構成され、かつ前記光源は、前記光源から放射された前記光の大部分が前記面に向けられるように位置付けられた、光源と；
（ｃ）前記光源に電力を送達するように適合された電源と、
（ｄ）前記フレーム上に据え付けられ、節足動物を動けなくするか、殺傷するか、または封じ込めることが可能である、抑制要素と、を備える、トラップ。
［４］
前記抑制要素が接着板である、項目１〜３のいずれか一項に記載のトラップ。
［５］
前記抑制要素が電気抑制要素である、項目１〜４のいずれか一項に記載のトラップ。
［６］
前記方向性光源が、１つ又は複数のＬＥＤを備える、項目１〜５のいずれか一項に記載のトラップ。
［７］
前記方向性光源が紫外光を放射する、項目１〜６のいずれか一項に記載のトラップ。
［８］
前記トラップが、バッテリ電源を備える電源を備える、項目１〜７のいずれか一項に記載のトラップ。
［９］
前記トラップが、系統電力への接続を備える電源を備える、項目１〜８のいずれか一項に記載のトラップ。
［１０］
前記方向性光源によって放射された前記光の２５％未満が、前記昆虫トラップの内面から反射することなく前記内部空間から漏れるように、前記方向性光源が位置付けられる、項目１〜９のいずれか一項に記載のトラップ。
［１１］
前記節足動物がハエを含み、前記波長が前記ハエを誘引するように選択される、項目１〜１０のいずれか一項に記載のトラップ。
［１２］
前記フレームが、壁及び少なくとも１つの開口を備えるハウジングをさらに備え、前記壁が内部空間を画定し、前記光源及び前記抑制要素が、前記内部空間に据え付けられる、項目２に記載のトラップ。
［１３］
前記光源が、３８０〜４２０ｎｍの範囲の波長の光を放射するように構成される、項目２〜１２のいずれか一項に記載のトラップ。
［１４］
前記光源が、３８５〜４１０ｎｍの範囲の波長の光を放射するように構成される、項目２〜１３のいずれか一項に記載のトラップ。
［１５］
前記トラップが、約４０５ｎｍの波長の光を放射するように構成された、少なくとも１つの光源を備える、項目２〜１４のいずれか一項に記載のトラップ。
［１６］
前記ハウジングが、前面カバーを備える、項目１、２、及び４〜１５のいずれか一項に記載のトラップ。
［１７］
前記ハウジングが背壁を備え、前記前面カバーが前記背壁に枢動可能に接続される、項目１６に記載のトラップ。
［１８］
前記前面カバーがヒンジによって前記背壁に接続され、前記前面カバーが、開位置及び閉位置を有する、項目１７に記載のトラップ。
［１９］
前記前面カバーが着脱可能である、項目１６に記載のトラップ。
［２０］
前記ハウジングが、背壁及び前記背壁と結合された前面カバーを備え、前記背壁及び前記前面カバーが、１つ又は複数の開口を画定する、項目１、２、及び４〜１９のいずれか一項に記載のトラップ。
［２１］
前記ハウジングが、上端開口、１つ又は複数の側面開口、下端開口、またはそれらの組合せを備える、項目１、２、及び４〜２０のいずれか一項に記載のトラップ。
［２２］
前記ハウジングが、前記内部空間にフレームを備え、前記光源が前記フレーム上に据え付けられる、項目１、２、及び４〜２１のいずれか一項に記載のトラップ。
［２３］
前記ＬＥＤライトが、イエバエを誘引するように選択された波長を有する、項目１〜２２のいずれか一項に記載のトラップ。
［２４］
前記ＬＥＤライトが、ショウジョウバエを誘引するように選択された波長を有する、項目１〜２３のいずれか一項に記載のトラップ。
［２５］
前記ＬＥＤライトが、ガを誘引するように選択された波長を有する、項目１〜２４のいずれか一項に記載のトラップ。
［２６］
項目１〜２５のいずれか一項に記載のトラップの使用。
【手続補正２】
【補正対象書類名】特許請求の範囲
【補正対象項目名】全文
【補正方法】変更
【補正の内容】
【特許請求の範囲】
【請求項１】
トラップであって、
（ａ）背壁、前面カバー、及び壁を備えるハウジングであって、前記壁が内部空間及び１つ又は複数の開口を画定し、前記前面カバーが前記背壁に枢動可能に接続されている、ハウジングと；
（ｂ）少なくとも１つＬＥＤライトを備える、第一の光源及び第二の光源であって、前記第一の光源は、光が前記トラップの外側に向けられるように位置づけられ、前記第二の光源は、光が前記内部空間における１つ又は複数の面に向けられるように位置付けられた、光源と；
（ｃ）前記内部空間に据え付けられ、かつ節足動物を動けなくするか、殺傷するか、または封じ込めるように構成された、抑制要素と、を備える、トラップ。
【請求項２】
前記第一の光源は、３５０〜５００ｎｍの範囲の１つ又は複数の波長で光を放射するように構成されたＬＥＤライトである、請求項１に記載のトラップ。
【請求項３】
面上に据え付け可能なフレームと；
前記光源に電力を送達するように適合された電源と、を更に備える、請求項１又は２に記載のトラップ。
【請求項４】
前記抑制要素が接着板又は電気的抑制要素である、請求項１〜３のいずれか一項に記載のトラップ。
【請求項５】
前記第一の光源及び前記第二の光源が、帯型ＬＥＤライトを備える、請求項１〜４のいずれか一項に記載のトラップ。
【請求項６】
前記第二の光源が紫外光を放射する、請求項１〜４のいずれか一項に記載のトラップ。
【請求項７】
前記フレームが、壁及び少なくとも１つの開口を備えるハウジングをさらに備え、前記壁が内部空間を画定し、前記第二の光源及び前記抑制要素が、前記内部空間に据え付けられる、請求項２に記載のトラップ。
【請求項８】
前記第一の光源は、３６５ｎｍの波長の光を放射するように構成された、請求項１に記載のトラップ。
【請求項９】
前記前面カバーがヒンジによって前記背壁に接続され、前記前面カバーが、開位置及び閉位置を有する、請求項１に記載のトラップ。
【請求項１０】
前記前面カバーが着脱可能である、請求項１に記載のトラップ。
【請求項１１】
前記背壁及び前記前面カバーが、１つ又は複数の開口を画定する、請求項１に記載のトラップ。
【請求項１２】
前記ハウジングが：上端開口、１つ又は複数の側面開口、下端開口、またはそれらの組合せを更に備える、請求項１に記載のトラップ。
【請求項１３】
前記ハウジングが、前記内部空間にフレームを備え、前記第一の光源及び前記第二の光源が前記フレーム上に据え付けられる、請求項１に記載のトラップ。
【請求項１４】
前記ＬＥＤライトが、イエバエ、ショウジョウバエ、又はガを誘引するように選択された波長を有する、請求項１〜１３のいずれか一項に記載のトラップ。